【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
エンクロージャであって、前記エンクロージャを形成する壁を備え、前記エンクロージャが、可視光照明装置であり、前記エンクロージャが、
内部空間（８２）；
少なくとも１つの壁に配置され、前記内部空間（８２）に露出した内部抑止性表面（７２）を有する抑止性要素（７０）であって、ＡＳＴＭ  Ｄ１００３−１１、ＣＩＥ標準光源Ｃを用いる手順Ａに従って求めて、２０％以上の透明度を有する抑止性要素（７０）；及び、
少なくとも１つの別の壁に配置され、前記内部空間（８２）に露出した内部結露性表面（７６）を有する結露性要素（６２，６４）；
を備え、
前記抑止性要素（７０）及び前記結露性要素（６２，６４）の少なくとも１つが、ある温度範囲にわたって内部抑止性表面温度と内部結露性表面温度との間に温度差を生じるように構成された相変化材料を含み、前記温度差が生じたとき、前記内部抑止性表面温度が、前記内部結露性表面温度を超え、
前記抑止性要素（７０）が、抑止性要素相変化材料を含み、前記抑止性要素相変化材料が、０℃を超える抑止性相変化温度を有することによって特徴付けられることを特徴とするエンクロージャ。
【請求項２】
請求項１に記載のエンクロージャであって、前記結露性要素（６２，６４）が、結露性要素相変化材料を含み、前記結露性要素相変化材料が、２５℃未満の結露性相変化温度を有することによって特徴付けられることを特徴とするエンクロージャ。
【請求項３】
請求項１に記載のエンクロージャであって、前記抑止性要素が前記相変化材料を含み、前記結露性要素が前記相変化材料を含まないことを特徴とするエンクロージャ。
【請求項４】
請求項１に記載のエンクロージャであって、前記抑止性要素（７０）が前記抑止性要素相変化材料を含み、前記結露性要素（６２，６４）が前記結露性要素相変化材料を含み、前記抑止性要素相変化材料が、前記結露性要素相変化材料より高い相変化温度を有することを特徴とするエンクロージャ。
【請求項５】
請求項１から４のいずれか１項に記載のエンクロージャであって、前記相変化材料は、
７５ｗｔ％を超える前記相変化材料が結露性要素外部表面（７８）よりも前記内部結露性表面（７６）の近くにあるような前記結露性要素（６２，６４）；及び、
７５ｗｔ％を超える前記相変化材料が抑止性要素外部表面（７４）よりも前記内部抑止性表面（７２）の近くにあるような前記抑止性要素（７０）；
の少なくとも一方の全体にわたって不均一に分布していることを特徴とするエンクロージャ。
【請求項６】
請求項１から５のいずれか１項に記載のエンクロージャであって、前記相変化材料が、ゼオライト粉末、ポリリン酸トリフェニル、結晶性パラフィンワックス、ポリエチレングリコール、脂肪酸、ナフタレン、二塩化カルシウム、ポリイプシロンカプロラクトン、ポリエチレンオキシド、ポリイソブチレン、ポリシクロペンテン、ポリシクロオクテン、ポリシクロドデセン、ポリイソプレン、ポリオキシトリエチレン、ポリオキシテトラメチレン、ポリオキシオクタメチレン、ポリオキシプロピレン、ポリブチロラクトン、ポリバレロラクトン、ポリエチレンアジペート、ポリエチレンスベレート、ポリデカメチルアゼレート、又はこれらの少なくとも１つを含む組合せを含むことを特徴とするエンクロージャ。
【請求項７】
請求項１から６のいずれか１項に記載のエンクロージャであって、前記相変化材料が、形状安定化された相変化材料粒子及び個別にカプセル化された相変化材料粒子の少なくとも１つを含むことを特徴とするエンクロージャ。
【請求項８】
請求項１から７のいずれか１項に記載のエンクロージャであって、前記結露性要素及び前記抑止性要素の少なくとも１つが、ポリマ及び前記相変化材料を含み、前記ポリマの屈折率及び前記相変化材料の屈折率が互いに１０％以内にあることを特徴とするエンクロージャ。
【請求項９】
請求項１から８のいずれか１項に記載のエンクロージャであって、前記結露性要素（６２，６４）及び前記抑止性要素（７０）の少なくとも１つが、前記相変化材料を含み、熱伝導率向上剤をさらに含み、前記熱伝導率向上剤が、金属、金属酸化物、カーボン、シリカ、金属シリコン、又はこれらの少なくとも１つを含む組合せを含むことを特徴とするエンクロージャ。
【請求項１０】
前記内部抑止性表面（７２）と前記内部結露性表面（７６）との間に温度差を生じさせることによって結露を誘導するための、請求項１から９のいずれか１項に記載の前記エンクロージャの使用。
【請求項１１】
請求項１から９のいずれか１項に記載の前記エンクロージャを形成する方法であって、
前記内部空間（８２）に露出した内部抑止性表面（７２）を有し、ＡＳＴＭ  Ｄ１００３−１１、ＣＩＥ標準光源Ｃを用いる手順Ａに従って求めて、２０％以上の前記透明性を有する前記抑止性要素（７０）を備える前記壁を形成すること；
前記内部空間（８２）に露出した前記内部結露性表面（７６）を有する前記結露性要素（６２，６４）を備える前記別の壁を形成すること；及び、
前記内部空間（８２）を有する前記エンクロージャを形成するために前記壁を配向させること；
を含み、
前記エンクロージャが、可視光照明装置であり、
前記抑止性要素（７０）が、前記抑止性要素相変化材料を含み、前記抑止性要素相変化材料が、０℃を超える前記抑止性相変化温度を有することによって特徴付けられることを特徴とする方法。
【請求項１２】
請求項１１に記載の方法であって、前記形成することの少なくとも１つが、ポリマに前記相変化材料を添加すること、及び、前記結露性要素（６２，６４）及び前記抑止性要素（７０）の少なくとも１つを形成すること、を含むことを特徴とする方法。
【請求項１３】
請求項１から９のいずれか１項に記載の前記エンクロージャを備える可視光照射装置であって、前記抑止性要素（７０）を備える前記壁がレンズ（１０４）であり、前記エンクロージャがハウジング部（１０２）及びベゼル部（１１０）を備え、前記ハウジング部（１０２）及び前記ベゼル部（１１０）の少なくとも１つが、
前記結露性要素（６２，６４）；
光源（１０８）と電気的に接続するように構成された電気接続（１００）；及び
前記電気接続（１００）に接続し、前記光源（１０８）に電気を供給するように構成された配線；
を備えることを特徴とする装置。
【請求項１４】
ランプエンクロージャであって、
ベゼル（１１０）；
光源（１０８）を受け入れるように構成されたソケット；
前記ベゼル（１１０）に連結され、前記光源（１０８）からの光を反射するように置かれた反射器（１０６）；及び、
前記ベゼル（１１０）に連結されたレンズ（１０４）；
を備え、
前記ベゼル（１１０）及び前記レンズ（１０４）の少なくとも１つが相変化材料を含むことを特徴とするランプエンクロージャ。
【請求項１５】
ランプエンクロージャであって、
ベゼル（１１０）；
前記ベゼル（１１０）に連結されたレンズ（１０４）；及び、
前記ベゼル（１１０）に連結された任意選択の第２レンズ；
を備え、
前記ベゼル（１１０）が、前記レンズ（１０４）と前記任意選択の第２レンズの両方の外辺部の回りに延び、また
前記ベゼル（１１０）及び前記レンズ（１０４）の少なくとも１つが相変化材料を含むことを特徴とするランプエンクロージャ。
【請求項１６】
請求項１４又は１５に記載のエンクロージャであって、前記ランプエンクロージャが、請求項１から９のいずれか１項に記載の前記エンクロージャであり、前記ベゼル（１１０）が前記結露性要素（６２，６４）を備え、前記レンズ（１０４）が前記抑止性要素（７０）を備えることを特徴とするエンクロージャ。